(57)【要約】【課題】  本にＩＣタグを設け、ＩＣタグ内に外部情報源へのアクセス情報を格納し、このアクセス情報に基づき、携帯端末又はコンピュータによって外部情報を取得できるようにしたＩＣタグ付き本を提供する。【解決手段】  １又は複数ページにＩＣタグ３を設けたＩＣタグ付き本１であって、ＩＣタグ３は共振回路により送信を行なう送信手段及びメモリを備え、メモリ内に少なくとも、携帯端末７に表示するための案内情報と、案内情報と関連付けられたサーバへのアクセス情報とを格納し、携帯端末７に接続されるＩＣタグリーダ１０に対し、該情報を送信自在に構成されているＩＣタグ付き本を提供する。【選択図】  図１
2007026277.tif 000002
【特許請求の範囲】
【請求項１】
１又は複数ページにＩＣタグを設けたＩＣタグ付き本であって、該ＩＣタグは共振回路により送信を行なう送信手段及びメモリを備え、該メモリ内に少なくとも、携帯端末に表示するための案内情報と、該案内情報と関連付けられたサーバへのアクセス情報とを格納し、携帯端末に接続されるＩＣタグリーダに対し、該情報を送信自在に構成されていることを特徴とするＩＣタグ付き本。
【請求項２】
上記ＩＣタグは本本体のページ上に貼着されることを特徴とする請求項１記載のＩＣタグ付き本。
【請求項３】
上記ＩＣタグは、本本体の複数ページに複数個設けられる際、複数のＩＣタグが同一直線上に配置されないように同一直線上から所定間隔ずらして配置され、該ＩＣタグから発信される電波の混信を防ぐように構成されていることを特徴とする請求項１又は２記載のＩＣタグ付き本。
【請求項４】
請求項１，２又は３記載のＩＣタグ付き本に設けられるＩＣタグと、該ＩＣタグの情報を読み取るＩＣタグリーダを装着自在の携帯端末と、該携帯端末とインターネットを介して接続され、該携帯端末のアクセスによって該携帯端末にコンテンツを配信するサーバとから成る情報通信システムであって、
前記ＩＣタグは、会員登録用の案内情報を格納する登録用ＩＣタグであり、
前記携帯端末は、前記ＩＣタグリーダが登録用ＩＣタグから読み取った会員登録用の案内情報及び該案内情報に関連付けられたサーバへのアクセス情報を受信するタグ情報受信手段と、受信した案内情報を表示する表示手段と、該アクセス情報に関連づけられた案内情報が選択された時、該アクセス情報が示すサーバにアクセスする送信手段と、アクセスに応答してサーバから配信される登録画面に登録情報を入力する入力手段と、該登録情報を該サーバに送信する送信手段と、該サーバから登録完了情報を受信する受信手段とを備え、
前記サーバは、前記携帯端末からアクセス情報を受信すると登録画面を送信する送信手段と、該携帯端末から登録情報を受信すると、該登録情報をデータベースに格納する格納手段と、登録が完了したことを知らせる登録完了情報を前記携帯端末に送信する送信手段とを備えていることを特徴とする情報通信システム。
【請求項５】
請求項１，２又は３記載のＩＣタグ付き本に設けられるＩＣタグと、該ＩＣタグの情報を読み取るＩＣタグリーダを装着自在の携帯端末と、該携帯端末とインターネットを介して接続され、該携帯端末のアクセスによって該携帯端末にコンテンツを配信するサーバとから成る情報通信システムであって、
前記ＩＣタグは、コンテンツ配信用の案内情報を格納する配信用ＩＣタグであり、
前記携帯端末は、前記ＩＣタグリーダが読み取ったコンテンツ配信用の案内情報及び該案内情報に関連付けられたサーバへのアクセス情報を受信する受信手段と、受信した案内情報を表示する表示手段と、該アクセス情報に関連づけられた案内情報が選択された時、該アクセス情報が示すサーバにアクセスする送信手段と、アクセスに応答してサーバから配信される認証画面に認証情報を入力する入力手段と、認証情報を送信する送信手段と、サーバから送信される「携帯端末」又は「コンピュータ」の何れかを選択する選択画面を表示する表示手段と、選択画面上で「携帯端末」が選択された時、選択した情報を該サーバに送信する送信手段と、該情報を受信した該サーバからコンテンツを受信する受信手段と、該コンテンツを出力する出力手段とを備え、
前記サーバは、前記携帯端末からのアクセス情報を受信する受信手段と、認証画面を送信する送信手段と、携帯端末から送信された認証情報をデータベースに照会して認証を行う認証手段と、認証が正しく行なわれると、「携帯端末」又は「コンピュータ」の何れかを選択する選択画面を前記携帯端末に送信する送信手段と、該携帯端末から「携帯端末」が選択された情報を受信すると、コンテンツを該携帯端末へ送信する送信手段とを備えていることを特徴とする情報通信システム。
【請求項６】
請求項１，２又は３記載のＩＣタグ付き本に設けられるＩＣタグと、該ＩＣタグの情報を読み取るＩＣタグリーダを装着自在の携帯端末と、該携帯端末とインターネットを介して接続されるサーバと、該サーバにインターネットを介して接続され、該サーバからコンテンツを受信するコンピュータとから成る情報通信システムであって、
前記ＩＣタグは、コンテンツ配信用の案内情報を格納する配信用ＩＣタグであり、
前記携帯端末は、前記ＩＣタグリーダが読み取ったコンテンツ配信用の案内情報及び該案内情報に関連付けられたサーバへのアクセス情報を受信する受信手段と、受信した案内情報を表示する表示手段と、該アクセス情報に関連づけられた案内情報が選択された時、該アクセス情報が示すサーバにアクセスする送信手段と、アクセスに応答してサーバから配信される認証画面に認証情報を入力する入力手段と、認証情報を送信する送信手段と、サーバから送信される「携帯端末」又は「コンピュータ」の何れかを選択する選択画面を表示する表示手段と、選択画面上で「コンピュータ」が選択された時、選択した情報を該サーバに送信する送信手段と、該情報を受信した該サーバから、該サーバへコンピュータからアクセスするためのコンピュータ用アクセス情報を受信する受信手段とを備え、
前記サーバは、前記携帯端末からのアクセス情報を受信する受信手段と、認証画面を送信する送信手段と、携帯端末から送信された認証情報をデータベースに照会して認証を行う認証手段と、認証が正しく行なわれると、「携帯端末」又は「コンピュータ」の何れかを選択する選択画面を前記携帯端末に送信する送信手段と、該携帯端末から「コンピュータ」が選択された情報を受信すると、前記コンピュータ用アクセス情報を該携帯端末に送る送信手段と、コンピュータからアクセス情報を受信するとコンテンツを該コンピュータへ送信する送信手段とを備え、
前記コンピュータは、コンピュータ用アクセス情報に基づきサーバにアクセスする送信手段と、アクセスによってサーバから配信されるコンテンツを受信する受信手段と、受信した情報を出力する出力手段とを備えていることを特徴とする情報通信システム。
【請求項７】
上記コンテンツは、テキスト情報、静止画情報、動画情報、音声情報のうちの１又は複数を含んでいることを特徴とする請求項４，５又は６記載の情報通信システム。
【請求項８】
上記コンテンツは、特定端末向けコンテンツ、会員向けコンテンツ、及び、一般コンテンツから成り、上記サーバは、上記携帯端末から受信した情報に基づき、前記コンテンツを選択して抽出する抽出手段を備えていることを特徴とする請求項４，５，６又は７記載の情報通信システム。
【請求項９】
上記サーバは、インターネットサービスプロバイダ及びコンテンツサービスプロバイダに夫々設置され、該インターネットサービスプロバイダに設置されたサーバがユーザ情報データベースを備え、該コンテンツサービスプロバイダに設置されたサーバが端末情報データベースを備え、或いは、該インターネットサービスプロバイダに設置されたサーバ、又は、該コンテンツサービスプロバイダに設置されたサーバの何れかが、該ユーザ情報データベース及び該端末情報データベースの両方を備えていることを特徴とする請求項４，５，６，７又は８記載の情報通信システム。
【発明の詳細な説明】
【技術分野】
【０００１】
本発明は、１又は複数ページにＩＣタグを設けたＩＣタグ付き本、及び、ＩＣタグのメモリ内に格納されたアクセス情報に基づき携帯端末又はコンピュータがアクセスしたサーバからコンテンツの配信を受けるように構成された情報通信システムに関する。
【背景技術】
【０００２】
ＩＣタグは広く普及しており、特に、バーコードに代わる商品識別・管理のための手段として広く用いられているが、ＩＣタグは、バーコードに比較して多くの情報量を格納できるために、バーコードとは異なる分野においてもその利用が広がっている。
【０００３】
そして、ＩＣタグに関して、多くの出願がなされており、例えば、特許文献１には、商品に取り付けられたＩＣタグの商品情報を読み取り、読み取った商品情報を基に商品の料金の支払をすることができる移動体通信機器が記載されている。
【０００４】
又、特許文献２には、携帯電話機能と非接触形式のＩＣタグ（カード）機能とを持ち、ＩＣタグ内に個人情報が登録される携帯電話が記載されている。
【特許文献１】特開２００５−９２３１３号公報
【特許文献２】特開２００４−３２０４３８号公報
【発明の開示】
【発明が解決しようとする課題】
【０００５】
前述したように、ＩＣタグは広く普及しており、その利用分野も広がっている。
又、ＩＣタグに関して、特許文献１、特許文献２等も出願されている。
【０００６】
然しながら、例えば、本にＩＣタグを設け、ＩＣタグ内に外部情報源へのアクセス情報を格納し、このアクセス情報に基づき、携帯端末によって外部情報を取得できるようにしたシステムはまだ知られていない。
【０００７】
そのような、外部情報が得られれば、本本体の内容の理解の手助けになるばかりでなく、本本体の内容以上の情報を得ることができ、又、情報提供者も新たな販売利益を生むことができる。
【０００８】
以上の現状に鑑み、本発明は、本にＩＣタグを設け、ＩＣタグ内に外部情報源へのアクセス情報を格納し、このアクセス情報に基づき、携帯端末又はコンピュータによって外部情報を取得できるようにしたＩＣタグ付き本及び該ＩＣタグを利用した情報通信システムを提供することを目的とする。
【課題を解決するための手段】
【０００９】
上記の課題を解決すべく、本発明は以下の構成を提供する。
請求項１に係る発明は、１又は複数ページにＩＣタグを設けたＩＣタグ付き本であって、該ＩＣタグは共振回路により送信を行なう送信手段及びメモリを備え、該メモリ内に少なくとも、携帯端末に表示するための案内情報と、該案内情報と関連付けられたサーバへのアクセス情報とを格納し、携帯端末に接続されるＩＣタグリーダに対し、該情報を送信自在に構成されていることを特徴とするＩＣタグ付き本を提供するものである。
【００１０】
請求項２に係る発明は、上記ＩＣタグは本本体のページ上に貼着されることを特徴とする請求項１記載のＩＣタグ付き本を提供するものである。
【００１１】
請求項３に係る発明は、上記ＩＣタグは、本本体の複数ページに複数個設けられる際、複数のＩＣタグが同一直線上に配置されないように同一直線上から所定間隔ずらして配置され、該ＩＣタグから発信される電波の混信を防ぐように構成されていることを特徴とする請求項１又は２記載のＩＣタグ付き本を提供するものである。
【００１２】
請求項４に係る発明は、請求項１，２又は３記載のＩＣタグ付き本に設けられるＩＣタグと、該ＩＣタグの情報を読み取るＩＣタグリーダを装着自在の携帯端末と、該携帯端末とインターネットを介して接続され、該携帯端末のアクセスによって該携帯端末にコンテンツを配信するサーバとから成る情報通信システムであって、
前記ＩＣタグは、会員登録用の案内情報を格納する登録用ＩＣタグであり、
前記携帯端末は、前記ＩＣタグリーダが登録用ＩＣタグから読み取った会員登録用の案内情報及び該案内情報に関連付けられたサーバへのアクセス情報を受信するタグ情報受信手段と、受信した案内情報を表示する表示手段と、該アクセス情報に関連づけられた案内情報が選択された時、該アクセス情報が示すサーバにアクセスする送信手段と、アクセスに応答してサーバから配信される登録画面に登録情報を入力する入力手段と、該登録情報を該サーバに送信する送信手段と、該サーバから登録完了情報を受信する受信手段とを備え、
前記サーバは、前記携帯端末からアクセス情報を受信すると登録画面を送信する送信手段と、該携帯端末から登録情報を受信すると、該登録情報をデータベースに格納する格納手段と、登録が完了したことを知らせる登録完了情報を前記携帯端末に送信する送信手段とを備えていることを特徴とする情報通信システムを提供するものである。
【００１３】
請求項５に係る発明は、請求項１，２又は３記載のＩＣタグ付き本に設けられるＩＣタグと、該ＩＣタグの情報を読み取るＩＣタグリーダを装着自在の携帯端末と、該携帯端末とインターネットを介して接続され、該携帯端末のアクセスによって該携帯端末にコンテンツを配信するサーバとから成る情報通信システムであって、
前記ＩＣタグは、コンテンツ配信用の案内情報を格納する配信用ＩＣタグであり、
前記携帯端末は、前記ＩＣタグリーダが読み取ったコンテンツ配信用の案内情報及び該案内情報に関連付けられたサーバへのアクセス情報を受信する受信手段と、受信した案内情報を表示する表示手段と、該アクセス情報に関連づけられた案内情報が選択された時、該アクセス情報が示すサーバにアクセスする送信手段と、アクセスに応答してサーバから配信される認証画面に認証情報を入力する入力手段と、認証情報を送信する送信手段と、サーバから送信される「携帯端末」又は「コンピュータ」の何れかを選択する選択画面を表示する表示手段と、選択画面上で「携帯端末」が選択された時、選択した情報を該サーバに送信する送信手段と、該情報を受信した該サーバからコンテンツを受信する受信手段と、該コンテンツを出力する出力手段とを備え、
前記サーバは、前記携帯端末からのアクセス情報を受信する受信手段と、認証画面を送信する送信手段と、携帯端末から送信された認証情報をデータベースに照会して認証を行う認証手段と、認証が正しく行なわれると、「携帯端末」又は「コンピュータ」の何れかを選択する選択画面を前記携帯端末に送信する送信手段と、該携帯端末から「携帯端末」が選択された情報を受信すると、コンテンツを該携帯端末へ送信する送信手段とを備えていることを特徴とする情報通信システムを提供するものである。
【００１４】
請求項６に係る発明は、請求項１，２又は３記載のＩＣタグ付き本に設けられるＩＣタグと、該ＩＣタグの情報を読み取るＩＣタグリーダを装着自在の携帯端末と、該携帯端末とインターネットを介して接続されるサーバと、該サーバにインターネットを介して接続され、該サーバからコンテンツを受信するコンピュータとから成る情報通信システムであって、
前記ＩＣタグは、コンテンツ配信用の案内情報を格納する配信用ＩＣタグであり、
前記携帯端末は、前記ＩＣタグリーダが読み取ったコンテンツ配信用の案内情報及び該案内情報に関連付けられたサーバへのアクセス情報を受信する受信手段と、受信した案内情報を表示する表示手段と、該アクセス情報に関連づけられた案内情報が選択された時、該アクセス情報が示すサーバにアクセスする送信手段と、アクセスに応答してサーバから配信される認証画面に認証情報を入力する入力手段と、認証情報を送信する送信手段と、サーバから送信される「携帯端末」又は「コンピュータ」の何れかを選択する選択画面を表示する表示手段と、選択画面上で「コンピュータ」が選択された時、選択した情報を該サーバに送信する送信手段と、該情報を受信した該サーバから、該サーバへコンピュータからアクセスするためのコンピュータ用アクセス情報を受信する受信手段とを備え、
前記サーバは、前記携帯端末からのアクセス情報を受信する受信手段と、認証画面を送信する送信手段と、携帯端末から送信された認証情報をデータベースに照会して認証を行う認証手段と、認証が正しく行なわれると、「携帯端末」又は「コンピュータ」の何れかを選択する選択画面を前記携帯端末に送信する送信手段と、該携帯端末から「コンピュータ」が選択された情報を受信すると、前記コンピュータ用アクセス情報を該携帯端末に送る送信手段と、コンピュータからアクセス情報を受信するとコンテンツを該コンピュータへ送信する送信手段とを備え、
前記コンピュータは、コンピュータ用アクセス情報に基づきサーバにアクセスする送信手段と、アクセスによってサーバから配信されるコンテンツを受信する受信手段と、受信した情報を出力する出力手段とを備えていることを特徴とする情報通信システムを提供するものである。
【００１５】
請求項７に係る発明は、上記コンテンツは、テキスト情報、静止画情報、動画情報、音声情報のうちの１又は複数を含んでいることを特徴とする請求項４，５又は６記載の情報通信システムを提供するものである。
【００１６】
請求項８に係る発明は、上記コンテンツは、特定端末向けコンテンツ、会員向けコンテンツ、及び、一般コンテンツから成り、上記サーバは、上記携帯端末から受信した情報に基づき、前記コンテンツを選択して抽出する抽出手段を備えていることを特徴とする請求項４，５，６又は７記載の情報通信システムを提供するものである。
【００１７】
請求項９に係る発明は、上記サーバは、インターネットサービスプロバイダ及びコンテンツサービスプロバイダに夫々設置され、該インターネットサービスプロバイダに設置されたサーバがユーザ情報データベースを備え、該コンテンツサービスプロバイダに設置されたサーバが端末情報データベースを備え、或いは、該インターネットサービスプロバイダに設置されたサーバ、又は、該コンテンツサービスプロバイダに設置されたサーバの何れかが、該ユーザ情報データベース及び該端末情報データベースの両方を備えていることを特徴とする請求項４，５，６，７又は８記載の情報通信システムを提供するものである。
【発明の効果】
【００１８】
本発明の請求項１記載の発明によれば、１又は複数ページにＩＣタグを設けたＩＣタグ付き本であって、該ＩＣタグは共振回路により送信を行なう送信手段及びメモリを備え、該メモリ内に少なくとも、携帯端末に表示するための案内情報と、該案内情報と関連付けられたサーバへのアクセス情報とを格納し、携帯端末に接続されるＩＣタグリーダに対し、該情報を送信自在に構成されているＩＣタグ付き本を提供するので、本本体に設けられたＩＣタグ内のアクセス情報に基づき、携帯端末又はコンピュータによって外部情報を取得できるようにしたＩＣタグ付き本を提供できる。
【００１９】
請求項２記載の発明によれば、上記ＩＣタグは本本体のページ上に貼着されるので、請求項１記載の発明の効果に加え、ＩＣタグを本本体のページ上に設ける作業が容易である。
【００２０】
請求項３記載の発明によれば、上記ＩＣタグは、本本体の複数ページに複数個設けられる際、複数のＩＣタグが同一直線上に配置されないように同一直線上から所定間隔ずらして配置され、該ＩＣタグから発信される電波の混信を防ぐように構成されているので、請求項１又は２記載の発明の効果に加え、電波の混信による誤情報の発生を防止できる。
【００２１】
請求項４記載の発明によれば、請求項１，２又は３記載のＩＣタグ付き本に設けられるＩＣタグと、該ＩＣタグの情報を読み取るＩＣタグリーダを装着自在の携帯端末と、該携帯端末とインターネットを介して接続され、該携帯端末のアクセスによって該携帯端末にコンテンツを配信するサーバとから成る情報通信システムであって、
前記ＩＣタグは、会員登録用の案内情報を格納する登録用ＩＣタグであり、
前記携帯端末は、前記ＩＣタグリーダが登録用ＩＣタグから読み取った会員登録用の案内情報及び該案内情報に関連付けられたサーバへのアクセス情報を受信するタグ情報受信手段と、受信した案内情報を表示する表示手段と、該アクセス情報に関連づけられた案内情報が選択された時、該アクセス情報が示すサーバにアクセスする送信手段と、アクセスに応答してサーバから配信される登録画面に登録情報を入力する入力手段と、該登録情報を該サーバに送信する送信手段と、該サーバから登録完了情報を受信する受信手段とを備え、
前記サーバは、前記携帯端末からアクセス情報を受信すると登録画面を送信する送信手段と、該携帯端末から登録情報を受信すると、該登録情報をデータベースに格納する格納手段と、登録が完了したことを知らせる登録完了情報を前記携帯端末に送信する送信手段とを備えている情報通信システムを提供するので、ＩＣタグ内に格納されたアクセス情報に基づき、サーバにアクセスし、携帯端末によって会員登録を行なうことができる。
【００２２】
請求項５記載の発明によれば、請求項１，２又は３記載のＩＣタグ付き本に設けられるＩＣタグと、該ＩＣタグの情報を読み取るＩＣタグリーダを装着自在の携帯端末と、該携帯端末とインターネットを介して接続され、該携帯端末のアクセスによって該携帯端末にコンテンツを配信するサーバとから成る情報通信システムであって、
前記ＩＣタグは、コンテンツ配信用の案内情報を格納する配信用ＩＣタグであり、
前記携帯端末は、前記ＩＣタグリーダが読み取ったコンテンツ配信用の案内情報及び該案内情報に関連付けられたサーバへのアクセス情報を受信する受信手段と、受信した案内情報を表示する表示手段と、該アクセス情報に関連づけられた案内情報が選択された時、該アクセス情報が示すサーバにアクセスする送信手段と、アクセスに応答してサーバから配信される認証画面に認証情報を入力する入力手段と、認証情報を送信する送信手段と、サーバから送信される「携帯端末」又は「コンピュータ」の何れかを選択する選択画面を表示する表示手段と、選択画面上で「携帯端末」が選択された時、選択した情報を該サーバに送信する送信手段と、該情報を受信した該サーバからコンテンツを受信する受信手段と、該コンテンツを出力する出力手段とを備え、
前記サーバは、前記携帯端末からのアクセス情報を受信する受信手段と、認証画面を送信する送信手段と、携帯端末から送信された認証情報をデータベースに照会して認証を行う認証手段と、認証が正しく行なわれると、「携帯端末」又は「コンピュータ」の何れかを選択する選択画面を前記携帯端末に送信する送信手段と、該携帯端末から「携帯端末」が選択された情報を受信すると、コンテンツを該携帯端末へ送信する送信手段とを備えている情報通信システムを提供するので、ＩＣタグ内に格納されたアクセス情報に基づき、サーバにアクセスし、携帯端末によってサーバからコンテンツを受信することができる。
【００２３】
請求項６記載の発明によれば、請求項１，２又は３記載のＩＣタグ付き本に設けられるＩＣタグと、該ＩＣタグの情報を読み取るＩＣタグリーダを装着自在の携帯端末と、該携帯端末とインターネットを介して接続されるサーバと、該サーバにインターネットを介して接続され、該サーバからコンテンツを受信するコンピュータとから成る情報通信システムであって、
前記ＩＣタグは、コンテンツ配信用の案内情報を格納する配信用ＩＣタグであり、
前記携帯端末は、前記ＩＣタグリーダが読み取ったコンテンツ配信用の案内情報及び該案内情報に関連付けられたサーバへのアクセス情報を受信する受信手段と、受信した案内情報を表示する表示手段と、該アクセス情報に関連づけられた案内情報が選択された時、該アクセス情報が示すサーバにアクセスする送信手段と、アクセスに応答してサーバから配信される認証画面に認証情報を入力する入力手段と、認証情報を送信する送信手段と、サーバから送信される「携帯端末」又は「コンピュータ」の何れかを選択する選択画面を表示する表示手段と、選択画面上で「コンピュータ」が選択された時、選択した情報を該サーバに送信する送信手段と、該情報を受信した該サーバから、該サーバへコンピュータからアクセスするためのコンピュータ用アクセス情報を受信する受信手段とを備え、
前記サーバは、前記携帯端末からのアクセス情報を受信する受信手段と、認証画面を送信する送信手段と、携帯端末から送信された認証情報をデータベースに照会して認証を行う認証手段と、認証が正しく行なわれると、「携帯端末」又は「コンピュータ」の何れかを選択する選択画面を前記携帯端末に送信する送信手段と、該携帯端末から「コンピュータ」が選択された情報を受信すると、前記コンピュータ用アクセス情報を該携帯端末に送る送信手段と、コンピュータからアクセス情報を受信するとコンテンツを該コンピュータへ送信する送信手段とを備え、
前記コンピュータは、コンピュータ用アクセス情報に基づきサーバにアクセスする送信手段と、アクセスによってサーバから配信されるコンテンツを受信する受信手段と、受信した情報を出力する出力手段とを備えている情報通信システムを提供するので、ＩＣタグ内に格納されたアクセス情報に基づき、携帯端末からサーバにアクセスし、更に、サーバから配信されるコンピュータ用アクセス情報に基づき、コンピュータによってサーバからコンテンツを受信することができる。
【００２４】
請求項７記載の発明によれば、上記コンテンツは、テキスト情報、静止画情報、動画情報、音声情報のうちの１又は複数を含んでいるので、請求項４，５又は６記載の発明の効果に加え、テキスト情報、静止画情報、動画情報、音声情報によって豊富な外部情報を取得できる。
【００２５】
請求項８記載の発明によれば、上記コンテンツは、特定端末向けコンテンツ、会員向けコンテンツ、及び、一般コンテンツから成り、上記サーバは、上記携帯端末から受信した情報に基づき、前記コンテンツを選択して抽出する抽出手段を備えているので、請求項４，５，６又は７記載の発明の効果に加え、端末情報に合わせたコンテンツの提供が可能となる。
【００２６】
請求項９記載の発明によれば、上記サーバは、インターネットサービスプロバイダ及びコンテンツサービスプロバイダに夫々設置され、該インターネットサービスプロバイダに設置されたサーバがユーザ情報データベースを備え、該コンテンツサービスプロバイダに設置されたサーバが端末情報データベースを備え、或いは、該インターネットサービスプロバイダに設置されたサーバ、又は、該コンテンツサービスプロバイダに設置されたサーバの何れかが、該ユーザ情報データベース及び該端末情報データベースの両方を備えているので、請求項４，５，６，７又は８記載の発明の効果に加え、ユーザ情報データベース又は端末情報データベースをインターネットサービスプロバイダ又はコンテンツサービスプロバイダに選択的に設置できる。
【発明を実施するための最良の形態】
【００２７】
以下、実施例を示した図面を参照しつつ本発明の実施の形態を説明する。
図１に於いて、１は、本発明のＩＣタグ付き本であり、ＩＣタグ付き本１は、本本体２の１又は複数ページにＩＣタグ３，３…を貼着して設けたものであり、ＩＣタグ３は図２に示す如く、共振回路により送信を行なう送信手段４、メモリ５、及び、それらを制御する制御部６を備え、メモリ５内に少なくとも、携帯電話等の携帯端末７に表示するための案内情報８と、案内情報８と関連付けられた後述するサーバ（図４に於いて２１）へのアクセス情報９を格納し、携帯端末７に接続されるＩＣタグリーダ１０に対し、前記情報８，９を送信自在に構成されている。
【００２８】
そして、前記ＩＣタグ３は、図３に示す如く、本本体２の複数ページに複数個設けられる場合、複数のＩＣタグ３，３…が本本体２の上下ページの上下方向に同一直線上に配置されないように同一直線上から相互に所定間隔ずらして配置され、ＩＣタグ３，３…から発信される電波の混信を防ぐように構成されている。
【００２９】
更に、前記ＩＣタグ３は、会員登録用に用いられる会員登録用ＩＣタグ３Ａと、コンテンツ配信用に用いられるコンテンツ配信用ＩＣタグ３Ｂとの２種類から成り、会員登録用ＩＣタグ３Ａ内に格納される前記案内情報８は、図８（ａ）図に示すような携帯端末７の表示画面に表示する案内情報８Ａであり、図中アンダーラインを引いて表示した情報８ａが前記アクセス情報９にリンクされている。
【００３０】
又、コンテンツ配信用ＩＣタグ３Ｂ内に格納される前記案内情報８は、図１０（ａ）に示すような携帯端末７の表示画面に表示する案内情報８Ｂであり、図中アンダーラインを引いて表示した情報８ｂが前記アクセス情報９にリンクされている。
【００３１】
前記ＩＣタグリーダ１０は、例えば、前記ＩＣタグ付き本１と共に、ＩＣタグ付き本１の表紙又は裏表紙、或いは、本本体のケースカバー等に付設されて販売されるものであり、前記ＩＣタグ３の情報を読み取り自在であり、ＩＣタグリーダ１０から延出されるコード１０ａの先端の端子部（図示せず）が携帯端末７に装着自在となっている。そして、ＩＣタグリーダ１０で読み込んだ情報は、携帯端末７の表示画面７ａに表示されるように構成されている。
【００３２】
（会員登録）
次に、請求項４に記載される本発明の第１情報通信システムについて説明する。第１情報通信システムは、携帯端末７を操作するユーザが会員登録をするためのシステムであり、図４に示す如く、前記ＩＣタグ付き本１に設けられるＩＣタグ３と、ＩＣタグ３の情報を読み取るＩＣタグリーダ１０を装着自在の携帯端末７と、携帯端末７とインターネット１１を介して接続され、携帯端末７のアクセスによって携帯端末７にコンテンツを配信するサーバ２１とから構成される。尚、説明の都合上、前記機器は１個として記載したが、１又は複数で構成されるものであり、特に、ＩＣタグ付き本１、又は、携帯端末７は、多数個存在するものである。
又、図４に於いて、１２は携帯端末７の基地局であり、１３は携帯電話会社である。
【００３３】
そして、前記ＩＣタグ３は、図３に示すＩＣタグ付き本１の表紙、又は、表紙に比較的近い頁に設けられる会員登録用の案内情報を格納する登録用ＩＣタグ３Ａが読み取りの対象となる。
【００３４】
前記携帯端末７は、図５に示す如く、ＩＣタグリーダ１０が登録用ＩＣタグ３Ａから読み取った会員登録用の案内情報８及び案内情報８に関連付けられたサーバ２１へのアクセス情報９を受信するタグ情報受信手段２２と、受信した案内情報８を表示する表示画面７ａ等から成る表示手段２３と、アクセス情報９に関連づけられた案内情報８が選択された時、アクセス情報９が示すサーバ２１にアクセスする送信手段２４と、アクセスに応答してサーバ２１から配信される登録画面｛図８（ｃ）に示す画面｝に登録情報（図示せず）を入力する入力手段２５と、登録情報をサーバ２１に送信する送信手段２４と、サーバ２１から登録完了情報を受信する受信手段２７とを備えている。尚、前記携帯端末７は、携帯端末として携帯公衆回線に接続して通信する機能を有し、携帯端末７が携帯電話である場合は携帯公衆回線に接続して通話する機能を有している。
【００３５】
そして、前記サーバ２１は、図６に示す如く、前記携帯端末７からアクセス情報を受信する受信手段２８と、登録画面を送信する送信手段２９と、携帯端末７から登録情報を受信する受信手段２８と、登録情報を格納する格納手段３１と、登録が完了したことを知らせる登録完了情報｛図８（ｄ）に示す情報｝を前記携帯端末７に送信する送信手段２９とを備えている。尚、前記サーバ２１は、その他、メールサーバ機能等、サーバが有する機能を備えている。
【００３６】
而して、前記第１情報通信システムの流れを図７に従って説明すると、前記ＩＣタグリーダ１０が、前記登録用ＩＣタグ３Ａから、会員登録用の案内情報８及び案内情報８に関連付けられたサーバ２１へのアクセス情報９を読み取り（Ｓ１）、前記携帯端末７に送信すると（Ｓ２）、前記携帯端末７は、タグ情報受信手段２２によって、その情報を受信し（Ｓ３）、受信した案内情報８を表示手段２３によって図８（a）に示す如き案内画面８Ａをブラウザを介して表示し（Ｓ４）、表示画面８Ａ上で、アクセス情報９に関連づけられた案内情報８ａ（画面中「会員登録へ」と表示された部分）が選択された時、送信手段２４によってアクセス情報９が示すサーバ２１にアクセスする（Ｓ５）。
【００３７】
そして、前記サーバ２１は、前記携帯端末７からアクセス情報を受信手段２８によって受信すると（Ｓ６）、送信手段２９によって図８（ｃ）に示すＷｅｂページである登録画面を送信する（Ｓ７）。尚、前記アクセス情報を受信手段２８によって受信した時、先に、図８（ｂ）に示すサービス提供者のホームページである「提供者公式サイト」の画面を携帯端末７に送り、その画面上で「ＩＣタグ本サイトへ」という表示を選択させた後、前記登録画面を送信しても良い。
【００３８】
次に、前記携帯端末７は、アクセスに応答してサーバ２１から配信される前記登録画面を受信し（Ｓ８）、入力手段２５によって、「氏名」、「パスワード」等のユーザ情報３３と、「携帯電話番号」等の携帯端末情報３４から成る登録情報３５が入力されると（Ｓ９）、送信手段２４によって登録情報３５をサーバ２１に送信する（Ｓ１０）。
【００３９】
更に、サーバ２１が、受信手段２８によって、携帯端末７から登録情報３５を受信すると（Ｓ１１）、格納手段３１によって、登録情報３５であるユーザ情報３３及び携帯端末情報３４を図４に示すユーザ情報データベース３６及び端末情報データベース３７に夫々格納し（Ｓ１２）、登録が完了したことを知らせる図８（ｄ）に示す登録完了情報を送信手段２９によって前記携帯端末７に送信する（Ｓ１３）。
【００４０】
（携帯端末へのコンテンツ配信）
次に、請求項５に記載される本発明の第２情報通信システムについて説明する。第２情報通信システムは、携帯端末７へコンテンツを配信するシステムであり、
図４に示す、前記第１通信システムに用いたＩＣタグ付き本１に設けられるＩＣタグ３と、ＩＣタグ３の情報を読み取るＩＣタグリーダ１０を装着自在の携帯端末７と、携帯端末７のアクセスによって携帯端末７にコンテンツを配信するサーバ２１とから構成されるが、第１通信システムに用いた各機器の機能に加えて各機器が有する他の機能も用いられる。
【００４１】
そして、前記ＩＣタグ３は、図３に示すＩＣタグ付き本１の記載内容の章、節等の区切りの最初の頁等に設けられるコンテンツ配信用ＩＣタグ３Ｂ，３Ｂ…が読み取りの対象となる。
【００４２】
前記携帯端末７は、図５に示す、前記ＩＣタグリーダ１０が配信用ＩＣタグ３Ｂから読み取ったコンテンツ配信用の案内情報８及び案内情報８に関連付けられたサーバ２１へのアクセス情報９を受信するタグ情報受信手段２２と、受信した案内情報８を表示する表示手段２３と、アクセス情報９に関連づけられた案内情報８が選択された時、アクセス情報９が示すサーバ２１にアクセスする送信手段２４と、アクセスに応答してサーバ２１から配信される認証画面に認証情報であるユーザ情報３３としてパスワードを入力し、認証情報である端末情報３４として携帯電話番号を入力する入力手段２５と、ユーザ情報３３と端末情報３４とを送信する送信手段２４と、サーバ２１から送信される「携帯端末」又は「コンピュータ」の何れかを選択する選択画面｛図１０（ｂ）に示す画面｝を表示する表示手段２３と、この選択画面上で「携帯端末」が選択された時、選択した情報をサーバ２１に送信する送信手段２４と、この情報を受信したサーバ２１からコンテンツを受信する受信手段２７と、該コンテンツを表示又は音声出力する出力手段３８とを備えている。
【００４３】
そして、前記サーバ２１は、図６に示す如く、前記携帯端末７からのアクセス情報を受信する受信手段２８と、Ｗｅｂページである認証画面を送信する送信手段２９と、携帯端末７から送信された認証情報であるユーザ情報３３及び端末情報３４をユーザ情報データベース３６及び端末情報データベース３７に夫々照会して認証を行う認証手段３９と、認証が正しく行なわれると、「携帯端末」又は「コンピュータ」の何れかを選択する選択画面｛図１０（ｂ）に示す画面｝を前記携帯端末７に送信する送信手段２９と、携帯端末７から「携帯端末」が選択された情報を受信すると、データベースからコンテンツを抽出する抽出手段４０と、抽出したコンテンツを携帯端末７へ送信する送信手段２９とを備えている。
【００４４】
前記コンテンツは、テキスト情報、静止画情報、動画情報、音声情報のうちの１又は複数を含んでいる。好適には、動画情報と音声情報からなる映像情報を含んでいる。映像情報は、本本体２に記載できないものであり、本本体２の補助情報として、或いは、本本体２以上の内容をもった有効な情報として利用できる。例えば、ＩＣタグ付き本１が料理の本である場合に、コンテンツとして料理方法の映像情報が提供される。
【００４５】
又、前記コンテンツは、図４に示す如く、特定端末向けコンテンツ４１、会員向けコンテンツ４２、及び、一般コンテンツ４３から成り、サーバ２１は、携帯端末７から受信した情報のうち、例えば、端末情報３４に基づき、前記抽出手段４０によってコンテンツを選択して抽出する。
【００４６】
更に、情報提供者４４側に、サーバ２１にコンテンツをアップロードしたり、コンテンツの更新を行なうためのコンピュータ４５がインターネットに接続されて設けられ、コンテンツの編集、変換、圧縮等を行なうビデオエンコーダ４６がコンピュータ４５に接続されて設けられている。
【００４７】
而して、前記第２情報通信システムの流れを図９に従って説明すると、前記ＩＣタグリーダ１０が、前記配信用ＩＣタグ３Ｂから、コンテンツ配信用の案内情報８及び案内情報８に関連付けられたサーバ２１へのアクセス情報９を読み取り（Ｓ２１）、前記携帯端末７に送信すると（Ｓ２２）、前記携帯端末７は、タグ情報受信手段２２によって、前記ＩＣタグリーダ１０からコンテンツ配信用の案内情報８及び該案内情報８に関連付けられたサーバ２１へのアクセス情報９を受信し（Ｓ２３）、受信した案内情報８をブラウザを介して表示手段２３によって図１０（a）の如く表示し（Ｓ２４）、アクセス情報９に関連づけられた案内情報８ｂが選択された時、送信手段２４によって、アクセス情報９が示すサーバ２１にアクセスする（Ｓ２５）。
【００４８】
前記サーバ２１は、受信手段２８によって、前記携帯端末７からのアクセス情報９を受信すると（Ｓ２６）、送信手段２９によって、Ｗｅｂページである認証画面を送信する（Ｓ２７）。
【００４９】
前記携帯端末７は、認証画面を受信すると（Ｓ２８）、ブラウザを介して認証画面を表示し、入力手段２５によって、認証画面内に認証情報であるユーザ情報３３としてパスワードを入力し、認証情報である端末情報３４として携帯電話番号を入力し（Ｓ２９）、送信手段２４によって、ユーザ情報３３及び端末情報３４を送信する（Ｓ３０）。
【００５０】
サーバ２１は、ユーザ情報３３及び端末情報３４を受信すると（Ｓ３１）、認証手段３９によって認証情報であるユーザ情報３３及び端末情報３４をユーザ情報データベース３６及び端末情報データベース３７に夫々照会して認証を行い（Ｓ３２）、認証が正しく行なわれると、「携帯端末」又は「コンピュータ」の何れかを選択する選択画面｛図１０（ｂ）に示す画面｝をＷｅｂページにて送信手段２９により前記携帯端末７に送信する（Ｓ３３）。
【００５１】
前記携帯端末７は、サーバ２１から配信される選択画面を受信手段２７によって受信し（Ｓ３４）、ブラウザを介して表示した選択画面上で「携帯端末」が選択された時、選択した情報を送信手段２４によりサーバ２１に送信する（Ｓ３５）。
【００５２】
サーバ２１は、携帯端末７から「携帯端末」が選択された情報を受信手段２８によって受信すると（Ｓ３６）、抽出手段４０によってデータベースからコンテンツを抽出し（Ｓ３７）、抽出したコンテンツを携帯端末７へ送信し（Ｓ３８）、携帯端末７は、受信手段２７によってコンテンツを受信し（Ｓ３９）、このコンテンツをテキスト、画像、動画の表示、及び、音声出力等の出力手段３８によって例えば図１０（c）の如き選択画面を出力し、選択画面内の選択により、図１０（ｄ）の如き映像を出力する（Ｓ４０）。
【００５３】
（コンピュータへのコンテンツ配信）
次に、請求項６に記載される本発明の第３情報通信システムについて説明する。第３情報通信システムは、図４に示すコンピュータ５１にコンテンツを配信するシステムであり、ＩＣタグ付き本１に設けられるＩＣタグ３と、ＩＣタグ３の情報を読み取るＩＣタグリーダ１０を装着自在の携帯端末７と、携帯端末７のアクセスによってコンテンツ配信アクセス情報を送信し、コンテンツ配信アクセス情報によるアクセスによってコンテンツを配信するサーバ２１と、コンテンツを受信し出力するコンピュータ５１とから構成される。尚、第３情報通信システムを構成するＩＣタグ３と、ＩＣタグリーダ１０を装着自在の携帯端末７と、サーバ２１とは、前述した第２通信システムと同じ機器が用いられる。
【００５４】
そして、前記ＩＣタグ３は、図３に示す、ＩＣタグ付き本１の記載内容の章、節等の区切りの最初の頁等に設けられるコンテンツ配信用ＩＣタグ３Ｂが読み取りの対象となる。
【００５５】
前記携帯端末７は、図５に示す、前記ＩＣタグリーダ１０が読み取ったコンテンツ配信用の案内情報及び該案内情報に関連付けられたサーバ２１へのアクセス情報を受信するタグ情報受信手段２２と、受信した案内情報を表示する表示手段２３と、アクセス情報に関連づけられた案内情報が選択された時、アクセス情報が示すサーバにアクセスする送信手段２４と、アクセスに応答してサーバ２１から配信される認証画面にユーザ情報３３としてパスワードを入力し、端末情報３４として携帯電話番号を入力する入力手段２５と、ユーザ情報３３と端末情報３４とを送信する送信手段２４と、サーバ２１から送信される「携帯端末」又は「コンピュータ」の何れかを選択する選択画面を表示する表示手段２３と、選択画面上で「コンピュータ」が選択された時、選択した情報を該サーバに送信する送信手段２４と、この情報を受信したサーバ２１から、サーバ２１へコンピュータ５１からアクセスするためのコンピュータ用アクセス情報を受信する受信手段２７とを備えている。
【００５６】
そして、前記サーバ２１は、前記携帯端末７からのアクセス信号を受信する受信手段２８と、Ｗｅｂページである認証画面を送信する送信手段２９と、携帯端末７から送信されたユーザ情報３３及び端末情報３４をユーザ情報データベース３６及び端末情報データベース３７に夫々照会して認証を行う認証手段３９と、認証が正しく行なわれると、「携帯端末」又は「コンピュータ」の何れかを選択する選択画面を前記携帯端末７に送信する送信手段２９と、携帯端末７から「コンピュータ」が選択された情報を受信する受信手段２８と、前記コンピュータ用アクセス情報を携帯端末７に送る送信手段２９と、コンピュータ５１からアクセス情報を受信する受信手段２８と、コンテンツをコンピュータ５１へ送信する送信手段２９とを備えている。
【００５７】
又、前記コンピュータ５１は、図１１に示す如く、前記コンピュータ用アクセス情報に基づきサーバ２１にアクセスする送信手段５２と、アクセスによってサーバ２１から配信されるコンテンツを受信する受信手段５３と、受信した情報をテキスト、画像、動画の表示、及び、音声出力等で出力する出力手段５４とを備えている。
【００５８】
而して、前記第３情報通信システムの流れを図１２に従って説明すると、前記ＩＣタグリーダ１０が、前記配信用ＩＣタグ３Ｂから、コンテンツ配信用の案内情報８及び案内情報８に関連付けられたサーバ２１へのアクセス情報９を読み取り（Ｓ４１）、前記携帯端末７に送信すると（Ｓ４２）、前記携帯端末７は、タグ情報受信手段２２によって、前記ＩＣタグリーダ１０からコンテンツ配信用の案内情報８及び該案内情報８に関連付けられたサーバ２１へのアクセス情報９を受信し（Ｓ４３）、受信した案内情報８を表示手段２３によって表示し（Ｓ４４）、アクセス情報９に関連づけられた案内情報８が選択された時、送信手段２４によって、アクセス情報９が示すサーバ２１にアクセスする（Ｓ４５）。
【００５９】
前記サーバ２１は、受信手段２８によって、前記携帯端末７からのアクセス情報９を受信すると（Ｓ４６）、送信手段２９によって、Ｗｅｂページである認証画面を送信する（Ｓ４７）。
【００６０】
前記携帯端末７は、認証画面を受信すると（Ｓ４８）、ブラウザを介して認証画面を表示し、入力手段２５によって、認証画面内にユーザ情報３３としてパスワードを入力し、端末情報３４として携帯電話番号を入力し（Ｓ４９）、送信手段２４によって、ユーザ情報３３及び端末情報３４を送信する（Ｓ５０）。
【００６１】
サーバ２１は、ユーザ情報３３及び端末情報３４を受信すると（Ｓ５１）、認証手段３９によってユーザ情報３３及び端末情報３４をユーザ情報データベース３６及び端末情報データベース３７に夫々照会して認証を行い（Ｓ５２）、認証が正しく行なわれると、「携帯端末」又は「コンピュータ」の何れかを選択する選択画面｛図１０（ｂ）に示す画面｝をＷｅｂページにて送信手段２９により前記携帯端末７に送信する（Ｓ５３）。
【００６２】
携帯端末７は、サーバ２１から配信される選択画面を表示手段２３によって受信し（Ｓ５４）、ブラウザを介して表示した選択画面上で「コンピュータ」が選択された時、送信手段２４により選択した情報をサーバ２１に送信する（Ｓ５５）。
【００６３】
サーバ２１は、携帯端末７から「携帯端末」が選択された情報を受信手段２８によって受信すると（Ｓ５６）、サーバ２１へコンピュータ５１からアクセスするためのＵＲＬであるコンピュータ用アクセス情報を携帯端末７に送信し（Ｓ５７）、携帯端末７は、コンピュータ用アクセス情報を受信し（Ｓ５８）、図１３（ａ）の如きＵＲＬが表示された画面を表示する（Ｓ５９）。
【００６４】
そして、コンピュータ５１にコンピュータ用アクセス情報である前記ＵＲＬを図１３（ｂ）の如くブラウザ画面上で入力してサーバ２１にアクセスすると（Ｓ６０）、サーバ２１は、アクセス情報を受信し（Ｓ６１）、抽出手段４０によってデータベースからコンテンツを抽出し（Ｓ６２）、抽出したコンテンツをコンピュータ５１へ送信する（Ｓ６３）。
【００６５】
コンピュータ５１は、受信手段５３によってコンテンツを受信し（Ｓ６４）、このコンテンツをテキスト、画像、動画の表示、及び、音声出力等の出力手段５４によって図１３（ｃ）又は図１３（ｄ）の如く出力する（Ｓ６５）。
【００６６】
斯くして、本発明のＩＣタグ付き本１は、本本体２に設けられたＩＣタグ３内のアクセス情報９に基づき、携帯端末７又はコンピュータ５１によって外部情報を映像等で取得できる。
【００６７】
又、前記ＩＣタグ３は本本体２のページ上に貼着されるので、ＩＣタグ３を本本体２のページ上に設ける作業が容易である。
【００６８】
更に、前記ＩＣタグ３は、本本体２の複数ページに複数個設けられる際、複数のＩＣタグ３，３…が同一直線上に配置されないように同一直線上から所定間隔ずらして配置されるので、電波の混信による誤情報の発生を防止できる。
【００６９】
更に又、前記第１情報通信システムによれば、ＩＣタグ３内に格納されたアクセス情報９に基づき、サーバ２１にアクセスし、携帯端末７によって会員登録を行なうことができる。
【００７０】
そして、前記第２情報通信システムによれば、ＩＣタグ３内に格納されたアクセス情報９に基づき、サーバ２１にアクセスし、携帯端末７によってサーバ２１からコンテンツを受信し、テキスト、画像、動画の表示、及び、音声出力等で出力することができる。
【００７１】
又、第３情報通信システムによれば、ＩＣタグ３内に格納されたアクセス情報９に基づき、サーバ２１にアクセスし、更に、サーバ２１から配信されるアクセス情報に基づき、コンピュータ５１によってサーバ２１からコンテンツを受信し、テキスト、画像、動画の表示、及び、音声出力等で出力することができる。
【００７２】
尚、前記第２情報システム及び第３情報システムに於ける課金システムについては、例えば、予め、契約された契約事項に基づき、携帯会社１３により通話料等と共に徴収される情報料として課金される。そして、会員に、会員向けコンテンツ４２が会員向けに配信された場合に課金され、それ以外には課金されない。課金対象の区別については、会員の携帯端末番号、コンテンツの種類別に区別されたサーバから携帯端末への送信電話番号等によって区別できる。
【００７３】
又、図１４乃至図１６は、前記サーバ２１をインターネットサービスプロバイダ６１と、コンテンツサービスプロバイダ６３に分けて設けた場合の第１例乃至第３例を示し、情報提供者４４、インターネットサービスプロバイダ６１、及び、コンテンツサービスプロバイダ６２の状況に応じて、図１４乃至図１６示す何れかの形態が適宜選択される。図１４は第１例を示し、インターネットサービスプロバイダ６１にユーザ情報データベース３６を設置し、コンテンツサービスプロバイダ６２に端末情報データベース３７、特定端末向けコンテンツ４１、会員向けコンテンツ４２、及び、一般コンテンツ４３を設置したものである。
【００７４】
この場合、ユーザ情報３３の認証をインターネットサービスプロバイダ６１で行い、その認証結果は暗号処理してコンテンツサービスプロバイダ６２に送られ、コンテンツサービスプロバイダ６２は、インターネットサービスプロバイダ６１のユーザ情報認証結果と、端末情報データベース３７に照会した端末情報３４の認証結果に基づき、認証が正しく行なわれた場合に、ユーザ情報３３及び端末情報３４に基づき、特定端末向けコンテンツ４１、会員向けコンテンツ４２、及び、一般コンテンツ４３の何れかを選択して携帯端末７又はコンピュータ５１へ送信する。
【００７５】
図１５は第２例を示し、インターネットサービスプロバイダ６１にユーザ情報データベース３６、及び、端末情報データベース３７を設置し、コンテンツサービスプロバイダ６２に、特定端末向けコンテンツ４１、会員向けコンテンツ４２、及び、一般コンテンツ４３を設置したものである。
【００７６】
この場合、ユーザ情報、及び、端末情報の認証をインターネットサービスプロバイダ６１で行い、認証が正しく行なわれた場合に、その認証結果は暗号処理してコンテンツサービスプロバイダ６２に送られ、コンテンツサービスプロバイダ６２は、ユーザ情報３３、及び、端末情報３４に基づき、特定端末向けコンテンツ４１、会員向けコンテンツ４２、及び、一般コンテンツ４３の何れかを選択して携帯端末７又はコンピュータ５１へ送信する。
【００７７】
図１６は第３例を示し、インターネットサービスプロバイダ６１にユーザ情報データベース３６、又は、端末情報データベース３７を設置せず、コンテンツサービスプロバイダ６２に、ユーザ情報データベース３６、端末情報データベース３７、特定端末向けコンテンツ４１、会員向けコンテンツ４２、及び、一般コンテンツ４３を設置したものである。
【００７８】
この場合、ユーザ情報、及び、端末情報の認証をコンテンツサービスプロバイダ６２で行い、認証が正しく行なわれた場合に、コンテンツサービスプロバイダ６２によって、ユーザ情報３３、及び、端末情報３４に基づき、特定端末向けコンテンツ４１、会員向けコンテンツ４２、及び、一般コンテンツ４３の何れかを携帯端末７又はコンピュータ５１へ送信する。
【図面の簡単な説明】
【００７９】
【図１】本発明によるＩＣタグ付き本と、ＩＣタグの情報を読み取るＩＣタグリーダを装着自在の携帯端末を示す平面図である。
【図２】図１に示すＩＣタグの構成を概略的に示す説明図である。
【図３】図１に示すＩＣタグ付き本に複数のＩＣタグを配置した状態を示す斜視図である。
【図４】本発明によるＩＣタグを利用した情報通信システムの説明図である。
【図５】図４に示す携帯端末の構成を概略的に示す説明図である。
【図６】図４に示すサーバの構成を概略的に示す説明図である。
【図７】第１情報通信システムの流れを示す説明図である。
【図８】（ａ）〜（ｄ）第１情報通信システムに於ける携帯端末の各画面を示す説明図である。
【図９】第２情報通信システムの流れを示す説明図である。
【図１０】（ａ）〜（ｄ）第２情報通信システムに於ける携帯端末の各画面を示す説明図である。
【図１１】図４に示すコンテンツを受信するコンピュータの構成を概略的に示す説明図である。
【図１２】第３情報通信システムの流れを示す説明図である。
【図１３】（ａ）第３情報通信システムに於ける携帯端末の画面を示す説明図である。（ｂ）〜（ｄ）第３情報通信システムに於けるコンピュータの画面を示す説明図である。
【図１４】本発明によるサーバをインターネットサービスプロバイダ及びコンテンツサービスプロバイダに設置した第１例の説明図である。
【図１５】本発明によるサーバをインターネットサービスプロバイダ及びコンテンツサービスプロバイダに設置した第２例の説明図である。
【図１６】本発明によるサーバをインターネットサービスプロバイダ及びコンテンツサービスプロバイダに設置した第３例の説明図である。
【符号の説明】
【００８０】
１  ＩＣタグ付き本
２  本本体
３  ＩＣタグ
３Ａ  登録用ＩＣタグ
３Ｂ  配信用ＩＣタグ
４，２４，２９，５２  送信手段
５  メモリ
７  携帯端末
８  案内情報
９  アクセス情報
１０  ＩＣタグリーダ
１１  インターネット
２１  サーバ
２２  タグ情報受信手段
２３  表示手段
２５  入力手段
２７，２８，５３  受信手段
３１  格納手段
３６  ユーザ情報データベース
３７  端末情報データベース
３８，５４  出力手段
３９  認証手段
４０  抽出手段
４１  特定端末向けコンテンツ
４２  会員向けコンテンツ
４３  一般コンテンツ
５１  コンピュータ
６１  インターネットサービスプロバイダ
６２  コンテンツサービスプロバイダ
【図１】
2007026277.tif 000003
【図２】
2007026277.tif 000004
【図３】
2007026277.tif 000005
【図４】
2007026277.tif 000006
【図５】
2007026277.tif 000007
【図６】
2007026277.tif 000008
【図７】
2007026277.tif 000009
【図８】
2007026277.tif 000010
【図９】
2007026277.tif 000011
【図１０】
2007026277.tif 000012
【図１１】
2007026277.tif 000013
【図１２】
2007026277.tif 000014
【図１３】
2007026277.tif 000015
【図１４】
2007026277.tif 000016
【図１５】
2007026277.tif 000017
【図１６】
2007026277.tif 000018